(57)【特許請求の範囲】
【請求項１】
サーバまたは基地局に適用される安全評価方法であって、
ユーザの識別子、位置情報、記録時間および信用状況報告情報を含む、ユーザのユーザレコードを取得するステップと、
前記ユーザレコード内の位置情報に基づき、前記ユーザの所在エリアを特定するステップと、
前記所在エリアに位置する全てのユーザのユーザレコードを取得するステップと、
前記所在エリア内の全てのユーザのユーザレコードに基づき、前記所在エリアの安全度を表す安全因子を計算するステップと、
前記安全度を前記ユーザに送信するステップと、
前記所在エリア内の全てのユーザのユーザレコードに基づき、前記所在エリアの安全因子を表す安全因子を計算するステップは、
前記所在エリア内の全てのユーザのユーザレコードの中から不良信用状況報告レコードを検索するステップと、
検索された前記不良信用状況報告レコードに基づき、前記所在エリアの安全因子を計算するステップと、
前記不良信用状況報告レコードごとの記録時間を取得するステップと、
前記不良信用状況報告レコードの記録時間に対応する係数であって、前記記録時間と現在時間との間隔が短くなるのにつれて増大する係数を特定するステップと、
検索された前記不良信用状況報告レコードの記録時間に対応する係数の和を計算し、前記所在エリアの安全因子を得るステップと、を含む方法。
【請求項２】
前記所在エリア内の全てのユーザのユーザレコードに基づき、前記所在エリアの安全度を表す安全因子を計算するステップは、
前記所在エリアの安全因子、および、前記所在エリアの所定範囲内におけるエリアである複数の所定エリアの安全因子を、降順にソーティングするステップと、
前記所在エリアの安全因子が上位Ｎ個のうちの１つである場合には、前記所在エリアを安全度の低いものとして特定し、前記所在エリアの安全因子が下位Ｍ個のうちの１つである場合には、前記所在エリアを安全度の高いものとして特定するステップと、を含み、
ＭおよびＮは、正の整数であることを特徴とする請求項１に記載の方法。
【請求項３】
前記所在エリア内の全てのユーザのユーザレコードに基づき、前記所在エリアの安全度を表す安全因子を計算するステップは、
前記所在エリアの安全因子が所定値よりも大きい場合には、前記所在エリアを安全度の低いものとして特定し、前記所在エリアの安全因子が所定値以下である場合には、前記所在エリアを安全度の高いものとして特定するステップと、を含むことを特徴とする請求項１に記載の方法。
【請求項４】
ユーザのユーザレコードを取得するステップは、
前記ユーザから送信される安全評価要求であって、前記所在エリアの安全度を取得するための前記安全評価要求を受信した場合に、前記ユーザのユーザレコードを取得するステップを、含むことを特徴とする請求項１に記載の方法。
【請求項５】
前記ユーザのユーザレコードを生成するステップをさらに含むことを特徴とする請求項１〜３の何れか１項に記載の方法。
【請求項６】
前記ユーザのユーザレコードを生成するステップは、
ユーザの識別子と、位置情報と、該位置情報に対応する時間とを含む前記ユーザのユーザ情報を取得するステップと、
前記ユーザの識別子に基づき、信用状況報告サーバにおいて前記ユーザの信用状況報告情報をクエリーするステップと、
前記ユーザの識別子、位置情報、位置情報に対応する時間、および信用状況報告情報に基づき、前記位置情報に対応する時間である記録時間を含む前記ユーザレコードを生成するステップと、を含むことを特徴とする請求項５に記載の方法。
【請求項７】
サーバまたは基地局であり、或いはサーバまたは基地局に集積された装置である安全評価装置であって、
ユーザの識別子、位置情報、記録時間および信用状況報告情報を含む、ユーザのユーザレコードを取得する第１取得モジュールと、
前記ユーザレコード内の位置情報に基づき、前記ユーザの所在エリアを特定する特定モジュールと、
前記所在エリアに位置する全てのユーザのユーザレコードを取得する第２取得モジュールと、
前記所在エリア内の全てのユーザのユーザレコードに基づき、前記所在エリアの安全度を表す安全因子を計算する計算サブモジュールを備える処理モジュールと、
前記安全度を前記ユーザに送信する送信モジュールと、含み、
前記計算サブモジュールは、
前記所在エリア内の全てのユーザのユーザレコードの中から不良信用状況報告レコードを検索し、
検索された前記不良信用状況報告レコードに基づいて前記所在エリアの安全因子を計算し、
前記不良信用状況報告レコードごとの記録時間を取得し、
前記不良信用状況報告レコードの記録時間に対応する係数であって、前記記録時間と現在時間との間隔が短くなるのにつれて増大する係数を特定し、
検索された前記不良信用状況報告レコードの記録時間に対応する係数の和を計算し、前記所在エリアの安全因子を得ることを特徴とする装置。
【請求項８】
前記処理モジュールは、  前記所在エリアの安全因子、および、前記所在エリアの所定範囲内におけるエリアである複数の所定エリアの安全因子を、降順にソーティングするソーティングサブモジュールと、
前記所在エリアの安全因子が上位Ｎ個のうちの１つである場合には、前記所在エリアを安全度の低いものとして特定し、前記所在エリアの安全因子が下位Ｍ個のうちの１つである場合には、前記所在エリアを安全度の高いものとして特定する特定サブモジュールと、を含み、
ＭおよびＮは、正の整数であることを特徴とする請求項７に記載の装置。
【請求項９】
前記処理モジュールは、  前記所在エリアの安全因子が所定値よりも大きい場合には、前記所在エリアを安全度の低いものとして特定し、前記所在エリアの安全因子が所定値以下である場合には、前記所在エリアを安全度の高いものとして特定する特定サブモジュールと、を含むことを特徴とする請求項７に記載の装置。
【請求項１０】
前記第１取得モジュールは、
前記ユーザから送信される安全評価要求であって、前記所在エリアの安全度を取得するための前記安全評価要求を受信した場合に、前記ユーザのユーザレコードを取得することを特徴とする請求項７に記載の装置。
【請求項１１】
前記ユーザのユーザレコードを生成する生成モジュールをさらに含むことを特徴とする請求項７〜９の何れか１項に記載の装置。
【請求項１２】
前記生成モジュールは、
ユーザの識別子と、位置情報と、該位置情報に対応する時間とを含む、前記ユーザのユーザ情報を取得する取得サブモジュールと、
前記ユーザの識別子に基づき、信用状況報告サーバにおいて前記ユーザの信用状況報告情報をクエリーするクエリーサブモジュールと、
前記ユーザの識別子、位置情報、位置情報に対応する時間、および信用状況報告情報に基づき、前記位置情報に対応する時間である記録時間を含む前記ユーザレコードを生成する生成サブモジュールと、を含むことを特徴とする請求項１１に記載の装置。
【請求項１３】
プロセッサと、該プロセッサが実行可能なコマンドを記録するメモリと、を含み、
前記プロセッサは、
ユーザの識別子、位置情報、記録時間および信用状況報告情報を含むユーザのユーザレコードを取得し、
前記ユーザレコード内の位置情報に基づいて前記ユーザの所在エリアを特定し、
前記所在エリアに位置する全てのユーザのユーザレコードを取得し、
前記所在エリア内の全てのユーザのユーザレコードに基づいて前記所在エリアの安全度を表す安全因子を計算し、
前記安全度を前記ユーザに送信するように構成されており、
前記所在エリア内の全てのユーザのユーザレコードの中から不良信用状況報告レコードを検索し、
検索された前記不良信用状況報告レコードに基づき、前記所在エリアの安全因子を計算し、
前記不良信用状況報告レコードごとの記録時間を取得し、
前記不良信用状況報告レコードの記録時間に対応する係数であって、前記記録時間と現在時間との間隔が短くなるのにつれて増大する係数を特定し、
検索された前記不良信用状況報告レコードの記録時間に対応する係数の和を計算し、前記所在エリアの安全因子を得ることを特徴とする安全評価装置。
【請求項１４】
プロセッサに実行されることにより、請求項１から請求項６のいずれかに記載の方法を実現することを特徴とするプログラム。
【請求項１５】
請求項１４に記載のプログラムが記録された記録媒体。
【発明の詳細な説明】
【技術分野】
【０００１】
本発明は通信分野に関し、特に安全評価の方法および装置、プログラム及び記録媒体に関する。
【背景技術】
【０００２】
シティー化の発展および進歩につれ、複数の市街エリアから構成される大中型シティーが増え、各エリアでは独自の居住区や商業圏が形成されてきている。
【発明の概要】
【発明が解決しようとする課題】
【０００３】
そして、人々の生活の品質向上に伴い、その人の所在エリアが如何なる安全度であるかが、最も注目される問題となる。
【課題を解決するための手段】
【０００４】
関連する技術における問題を解決するために、本発明は安全評価の方法および装置、プログラム及び記録媒体を提供する。
本発明の実施例の第１態様によれば、安全評価方法であって、
ユーザの識別子、位置情報、記録時間および信用状況報告情報を含むユーザのユーザレコードを取得するステップと、
前記ユーザレコード内の位置情報に基づき、前記ユーザの所在エリアを特定するステップと、
前記所在エリアに位置する全てのユーザのユーザレコードを取得するステップと、
前記所在エリア内の全てのユーザのユーザレコードに基づき、前記所在エリアの安全度を計算するステップと、
前記安全度を前記ユーザに送信するステップと、を含む方法を提供する。
本発明の第１態様の実現形態として、前記所在エリア内の全てのユーザのユーザレコードに基づき、前記所在エリアの安全度を計算するステップは、
前記所在エリア内の全てのユーザのユーザレコードに基づき、前記所在エリアのエリア安全度を表す安全因子を計算するステップと、
前記所在エリアの安全因子、および、前記所在エリアの所定範囲内におけるエリアである複数の所定エリアの安全因子を、降順にソーティングするステップと、
前記所在エリアの安全因子が上位Ｎ個のうちの１つである場合には、前記所在エリアを安全度の低いものとして特定し、前記所在エリアの安全因子が下位Ｍ個のうちの１つである場合には、前記所在エリアを安全度の高いものとして特定するステップと、を含み、ＭおよびＮは正の整数である。
上述した計算方式では、安全因子の序列に基づいて安全度の高いエリアおよび低いエリアを選定することは、エリアが多数に存在する場面に適するため、ユーザが現在に所在するエリアが市全体まはた市街全体において相対的に安全度が高い、または低いことをユーザに注意喚起することができる。
本発明の第１態様の別の実現形態として、前記所在エリア内の全てのユーザのユーザレコードに基づき、前記所在エリアの安全度を計算するステップは、
前記所在エリア内の全てのユーザのユーザレコードに基づき、前記所在エリアのエリア安全度を表す安全因子を計算するステップと、
前記所在エリアの安全因子が所定値よりも大きい場合には、前記所在エリアを安全度の低いものとして特定し、前記所在エリアの安全因子が所定値以下である場合には、前記所在エリアを安全度の高いものとして特定するステップと、を含む。
上述した計算方式では、安全因子と所定値との大小関係に基づて安全度の高いエリアおよび低いエリアを選定することは、絶対的安全度を計算することに相当するため、エリアが少数に存在する場面に適しており、注意喚起効果がより強くなる。
本発明の第１態様の別の実現形態として、前記所在エリア内の全てのユーザのユーザレコードに基づき、前記所在エリアの安全因子を計算するステップは、
前記所在エリア内の全てのユーザのユーザレコードの中から不良信用状況報告レコードを検索するステップと、
検索された前記不良信用状況報告レコードに基づき、前記所在エリアの安全因子を計算するステップと、を含む。
上述した実現形態では、信用状況報告情報を用いてエリアの安全因子を特定するのは、信用状況報告情報が常に個人の信用水準の審査に用いられ、信用水準の低い人ほど、犯罪に関係する可能性が高くなり、また、ユーザが所在するエリアの安全度が、所在エリア内で活動する全てのユーザに左右されるためである。したがって、所在エリア内の全てのユーザのユーザレコードの中から不良信用状況報告レコードを検索することにより、安全度を特定する正確度が高くなる。
本発明の第１態様の別の実現形態として、検索された前記不良信用状況報告レコードに基づき、前記所在エリアの安全因子を計算するステップは、
前記不良信用状況報告レコードごとの記録時間を取得するステップと、
前記不良信用状況報告レコードの記録時間に対応する係数であって、前記記録時間と現在時間との間隔が短くなるのにつれて増大する係数を特定するステップと、
検索された前記不良信用状況報告レコードの記録時間に対応する係数の和を計算し、前記所在エリアの安全因子を得るステップと、を含む。
計算の際に、不良信用状況報告レコードの記録時間に対応する係数を用いて計算するのは、記録時間と現在時間との間隔が長いほど、設定されたエリアに該ユーザがまだ滞留している確率が低くなり、安全度に対する影響も小さくなるためである。このような計算方式により、同様に安全度の正確度が向上する。
本発明の第１態様の別の実現形態として、ユーザのユーザレコードを取得するステップは、
前記ユーザから送信される安全評価要求であって、前記所在エリアの安全度を取得するための前記安全評価要求を受信した場合に、前記ユーザのユーザレコードを取得するステップを含む。
上述した実現形態では、ユーザが安全評価を送信してから、ユーザレコードを取得し安全度を計算するため、該安全評価方法の指向性がより強くなる。
本発明の第１態様の別の実現形態として、前記方法は、
前記ユーザのユーザレコードを生成するステップをさらに含む。
生成されたユーザレコードは、後のステップにおけるエリア安全度の計算に用いることができる。
本発明の第１態様の別の実現形態として、前記ユーザのユーザレコードを生成するステップは、
ユーザの識別子と、位置情報と、該位置情報に対応する時間とを含む前記ユーザのユーザ情報を取得するステップと、
前記ユーザの識別子に基づき、信用状況報告サーバにおいて前記ユーザの信用状況報告情報をクエリーするステップと、
前記ユーザの識別子、位置情報、位置情報に対応する時間、および信用状況報告情報に基づき、前記位置情報に対応する時間である記録時間を含む前記ユーザレコードを生成するステップと、を含む。
該実現形態では、ユーザ情報を取得してから、ユーザの識別子に基づいて信用状況報告情報をクエリーし、ユーザレコードを生成するため、実現形態は簡単である。
本発明の実施例の第２態様によれば、安全評価装置であって、
ユーザの識別子、位置情報、記録時間および信用状況報告情報を含むユーザのユーザレコードを取得する第１取得モジュールと、
前記ユーザレコード内の位置情報に基づき、前記ユーザの所在エリアを特定する特定モジュールと、
前記所在エリアに位置する全てのユーザのユーザレコードを取得する第２取得モジュールと、
前記所在エリア内の全てのユーザのユーザレコードに基づき、前記所在エリアの安全度を計算する処理モジュールと、
前記安全度を前記ユーザに送信する送信モジュールと、を含む装置を提供する。
本発明の第２態様の実現形態として、前記処理モジュールは、
前記所在エリア内の全てのユーザのユーザレコードに基づき、前記所在エリアのエリア安全度を表す安全因子を計算する計算サブモジュールと、
前記所在エリアの安全因子、および、前記所在エリアの所定範囲内におけるエリアである複数の所定エリアの安全因子を、降順にソーティングするソーティングサブモジュールと、
前記所在エリアの安全因子が上位Ｎ個のうちの１つである場合には、前記所在エリアを安全度の低いものとして特定し、前記所在エリアの安全因子が下位Ｍ個のうちの１つである場合には、前記所在エリアを安全度の高いものとして特定する特定サブモジュールと、を含み、ＭおよびＮは、正の整数である。
上述した計算方式では、安全因子の序列に基づいて安全度の高いエリアおよび低いエリアを選定することは、エリアが多数に存在する場面に適するため、ユーザが現在に所在するエリアが市全体まはた市街全体において相対的に安全度が高い、または低いことをユーザに注意喚起することができる。
本発明の第２態様の別の実現形態として、前記処理モジュールは、
前記所在エリア内の全てのユーザのユーザレコードに基づき、前記所在エリアのエリア安全度を表す安全因子を計算する計算サブモジュールと、
前記所在エリアの安全因子が所定値よりも大きい場合には、前記所在エリアを安全度の低いものとして特定し、前記所在エリアの安全因子が所定値以下である場合には、前記所在エリアを安全度の高いものとして特定する特定サブモジュールと、を含む。
上述した計算方式では、安全因子と所定値との大小関係に基づて安全度の高いエリアおよび低いエリアを選定することは、絶対的安全度を計算することに相当するため、エリアが少数に存在する場面に適しており、注意喚起効果がより強くなる。
本発明の第２態様の別の実現形態として、前記計算サブモジュールは、具体的には、
前記所在エリア内の全てのユーザのユーザレコードの中から不良信用状況報告レコードを検索し、
検索された前記不良信用状況報告レコードに基づいて前記所在エリアの安全因子を計算する。
上述した実現形態では、信用状況報告情報を用いてエリアの安全因子を特定するのは、信用状況報告情報が常に個人の信用水準の審査に用いられ、信用水準の低い人ほど、犯罪に関係する可能性が高くなり、また、ユーザが所在するエリアの安全度が、所在エリア内で活動する全てのユーザに左右されるためである。したがって、所在エリア内の全てのユーザのユーザレコードの中から不良信用状況報告レコードを検索することにより、安全度を特定する正確度が高くなる。
本発明の第２態様の別の実現形態として、前記計算サブモジュールは、具体的には、
前記不良信用状況報告レコードごとの記録時間を取得し、
前記不良信用状況報告レコードの記録時間に対応する係数であって、前記記録時間と現在時間との間隔が短くなるのにつれて増大する係数を特定し、
検索された前記不良信用状況報告レコードの記録時間に対応する係数の和を計算し、前記所在エリアの安全因子を得る。
上述した実現形態では、ユーザが安全評価を送信してから、ユーザレコードを取得し安全度を計算するため、該安全評価方法の指向性がより強くなる。
本発明の第２態様の別の実現形態として、前記第１取得モジュールは、具体的には、
前記ユーザから送信される安全評価要求であって、前記所在エリアの安全度を取得するための前記安全評価要求を受信した場合に、前記ユーザのユーザレコードを取得する。
上述した実現形態では、ユーザが安全評価を送信してから、ユーザレコードを取得し安全度を計算するため、該安全評価方法の指向性がより強くなる。
本発明の第２態様の別の実現形態として、前記装置は、
前記ユーザのユーザレコードを生成する生成モジュールをさらに含む。
前記ユーザのユーザレコードを生成する。
本発明の第２態様の別の実現形態として、前記生成モジュールは、
ユーザの識別子と、位置情報と、該位置情報に対応する時間とを含む前記ユーザのユーザ情報を取得する取得サブモジュールと、
前記ユーザの識別子に基づき、信用状況報告サーバにおいて前記ユーザの信用状況報告情報をクエリーするクエリーサブモジュールと、
前記ユーザの識別子、位置情報、位置情報に対応する時間、および信用状況報告情報に基づき、前記位置情報に対応する時間である記録時間を含む前記ユーザレコードを生成する生成サブモジュールと、を含む。
該実現形態では、ユーザ情報を取得してから、ユーザの識別子に基づいて信用状況報告情報をクエリーし、ユーザレコードを生成するため、実現形態は簡単である。
本発明の実施例の第３態様によれば、安全評価装置であって、
プロセッサと、プロセッサが実行可能なコマンドを記録するメモリと、を含み、
前記プロセッサは、
ユーザの識別子、位置情報、記録時間および信用状況報告情報を含むユーザのユーザレコードを取得し、
前記ユーザレコード内の位置情報に基づいて前記ユーザの所在エリアを特定し、
前記所在エリアに位置する全てのユーザのユーザレコードを取得し、
前記所在エリア内の全てのユーザのユーザレコードに基づいて前記所在エリアの安全度を計算し、
前記安全度を前記ユーザに送信するように構成されている安全評価装置を提供する。
該実現形態では、ユーザ情報を取得してから、ユーザの識別子に基づいて信用状況報告情報をクエリーし、ユーザレコードを生成するため、実現形態は簡単である。
本発明のその他の態様は、
プロセッサに実行されることにより、前記方法を実現することを特徴とするプログラムを提供する。
本発明のその他の態様は、
前記プログラムが記録された記録媒体を提供する。
本発明の実施例において提供される技術的構成は、次の有益な効果を奏する。
すなわち、本発明は、ユーザレコードに基づいてユーザの所在エリアを特定し、該所在エリア内の全てのユーザのユーザレコードに基づいて該所在エリアの安全度を計算すると共に、安全度をユーザに送信する。これにより、ユーザが所在するエリアの安全度を特定できないという従来技術における問題を解決し、ユーザの日常生活における安全指数を向上させている。
なお、上記の一般的な記載および後述の詳細な記載は、単に例示的および説明的なものにすぎず、本発明を限定するものではないと理解されるべきである。
【図面の簡単な説明】
【０００５】
ここでの図面は、明細書に組み込まれて明細書の一部を構成し、本発明に適合する実施例を示するものとして、明細書と共に本発明の原理の解釈に用いられる。
【図１】例示的一実施例に係る応用場面を示す図である。
【図２】例示的な一実施例に係る安全評価方法を示すフローチャートである。
【図３】例示的な一実施例に係る安全評価方法を示すフローチャートである。
【図４】例示的な一実施例に係る安全評価装置を示すブロック図である。
【図５】例示的な一実施例に係る安全評価装置を示すブロック図である。
【図６】例示的な一実施例に係る安全評価装置を示すブロック図である。
【発明を実施するための形態】
【０００６】
ここで、図面に示された例示的な実施例を詳細に説明する。以下の記載において、図面に関する場合、特に説明しない限り、異なる図面における同一番号は、同一または同等の要素を示す。以下の例示的な実施例に記載の実施形態は、本発明に一致するあらゆる実施形態を代表するものではない。逆に、これらの実施形態は、特許請求の範囲に詳細に記載された、本発明の一部の局面に一致する装置及び方法の例にすぎない。
【０００７】
実施例の記載の便宜上、以下は本発明における実施例の応用場面を簡単に説明する。図１を参照すると、該場面では、端末機器１およびサーバ２が含まれ、端末機器１とサーバ２とが無線接続される。端末機器１は、スマート携帯電話、スマート電話機などの機器を含むが、これらに限定されない。サーバ２は、設定されたエリアの安全度を特定し、設定されたエリア内のユーザの端末機器１に送信することにより、ユーザに対する注意喚起および保護の役割を果たす。サーバ２は、他の機器、例えば基地局、サーバまたは基地局に集積された装置であってもよい。
【０００８】
なお、前記の機器の種類は単に例示にすぎず、本発明ではこれについて限定しない。
図２は、例示的な一実施例に係る安全評価方法を示すフローチャートである。図２に示すように、該方法は、上記サーバまたは基地局に適用され、次のステップを含む。
ステップＳ１１では、ユーザの識別子、位置情報、記録時間および信用状況報告情報を含む、ユーザのユーザレコードを取得する。
【０００９】
なお、ユーザの識別子は、ユーザの端末機器のＩＭＥＩ（ＩｎｔｅｒｎａｔｉｏｎａｌＭｏｂｉｌｅＥｑｕｉｐｍｅｎｔＩｎｄｅｎｔｉｔｙ；国際移動体装置識別番号）、またはユーザのアカウントなどであってもよい。位置情報は、ＧＰＳ（Ｇｌｏｂａｌ  Ｐｏｓｉｔｉｏｎｉｎｇ  Ｓｙｓｔｅｍ；全地球測位システム）により示されてもよく、ユーザの端末機器がアクセスした基地局またはＷｉＦｉ（Ｗｉｒｅｌｅｓｓ  Ｆｉｄｅｌｉｔｙ；ワイヤレス  ファイデリティ）ホットスポットによる位置で示されてもよい。信用状況報告情報は、特定機関により作られた個人信用情報データベースに収集、整理、保管されるものとして、商業銀行や個人に信用報告問い合わせサービスを提供し、貨幣政策の制定、金融の監視および管理、乃至は法律や条例により規定された他の用途に関連の情報サービスを提供するための個人信用情報である。
ステップＳ１２では、ユーザレコード内の位置情報に基づき、ユーザの所在エリアを特定する。
【００１０】
本発明では、市、まはたより大きな（若しくはより小さな）地域を複数のエリアに分け、分けられた複数のエリアのうちの１つを、ユーザの所在エリアとしてもよい。エリアは、行政エリアに応じて分けてもよい。また、エリア分けは、他の方式、例えば商業圏に応じて分けてもよい。商業圏では人口が集中しており、人口流動性も強いため、商業圏に応じて分けることは、本発明に係る安全評価の効果が最大限に発揮される。
【００１１】
ステップＳ１３では、所在エリアに位置する全てのユーザのユーザレコードを取得する。
ステップＳ１４では、所在エリア内の全てのユーザのユーザレコードに基づき、所在エリアの安全度を計算する。
ステップＳ１５では、安全度をユーザに送信する。
本発明は、ユーザレコードに基づいてユーザの所在エリアを特定し、該所在エリア内の全てのユーザのユーザレコードに基づいて該所在エリアの安全度を計算すると共に、安全度をユーザに送信する。これにより、ユーザが所在するエリアの安全度を特定できないという従来技術における問題を解決し、ユーザの日常生活における安全指数を向上させている。
【００１２】
図３は、例示的な一実施例に係る安全評価方法を示すフローチャートである。図３に示すように、該方法は、上記サーバまたは基地局に適用され、次のステップを含む。
【００１３】
ステップＳ２０では、ユーザの識別子、位置情報、記録時間および信用状況報告情報を含む、ユーザのユーザレコードを生成する。
なお、ユーザの識別子は、ユーザの端末機器のＩＭＥＩ、またはユーザのアカウントなどであってもよい。位置情報は、ＧＰＳにより示されてもよく、ユーザの端末機器がアクセスした基地局またはＷｉＦｉホットスポットによる位置で示されてもよい。信用状況報告情報は、特定機関により作られた個人信用情報データベースに収集、整理、保管されるものとして、商業銀行や個人に信用報告問い合わせサービスを提供し、貨幣政策の制定、金融の監視および管理、乃至は法律や条例により規定された他の用途に関連の情報サービスを提供するための個人信用情報である。
【００１４】
本実施例において、ユーザのユーザレコードの生成は、
ユーザの識別子と、位置情報と、位置情報に対応する時間とを含むユーザ情報を取得するステップと、
ユーザの識別子に基づき、信用状況報告サーバにおいてユーザの信用状況報告情報をクエリーするステップと、
ユーザの識別子と、位置情報と、位置情報に対応する時間と、信用状況報告情報とに基づき、位置情報に対応する時間である記録時間を含むユーザレコードを生成するステップと、を含んでもよい。
【００１５】
なお、信用状況報告サーバは、第三者である信用状況報告サイトのサーバであってもよい。第三者である信用状況報告サイトとは、企業や個人の信用状況報告情報の収集、整理、加工、解析などの作業を専門的に行うシステムであり、例え「ゴマ信用状況報告」、「小米信用状況報告」などである。
上述した方式を用いれば、ユーザレコードを容易に生成することができ、後の計算需要を保証することができる。
【００１６】
本実施例において、ユーザのユーザ情報の取得は、
ユーザの端末機器から送信されるユーザ情報として、ＧＰＳ情報である位置情報を含むユーザ情報を受信するステップ、
あるいは、運営事業者から送信されるユーザ情報として、ユーザの端末機器がアクセスした基地局若しくはＷｉＦｉの位置情報を含んだユーザ情報を受信するステップ、
あるいは、ユーザの端末機器がアクセスした基地局若しくはＷｉＦｉの位置情報を含んだユーザ情報を、運営事業者サーバから周期的に取得するステップを含んでもよい。
ステップＳ２１では、ユーザから送信される安全評価要求であって、所在エリアの安全度を取得するための安全評価要求を受信した場合に、ユーザのユーザレコードを取得する。
【００１７】
別の実施例において、ユーザがサーバとの間で、所在エリアの安全度を周期的に取得するための安全評価サービスを開通させ、ユーザにより安全評価サービスが開通した後に、サーバがユーザのユーザレコードを周期的に取得し、後のステップを実行してもよい。
【００１８】
ステップＳ２２では、ユーザレコード内の位置情報に基づき、ユーザの所在エリアを特定する。
本発明では、市、まはたより大きな（若しくはより小さな）地域を複数のエリアに分け、分けられた複数のエリアのうちの１つをユーザの所在エリアとしてもよい。エリアは、行政エリアに応じて分けてもよい。また、エリア分けは、他の方式、例えば商業圏に応じて分けてもよい。商業圏では人口が集中しており、人口流動性も強いため、商業圏に応じて分けることは、本発明に係る安全評価の効果が最大限に発揮される。
ステップＳ２３では、所在エリアに位置する全てのユーザのユーザレコードを取得する。
【００１９】
上記ステップＳ２０は、異なるユーザに対し重複して実行され得るため、大量なユーザレコードが生成され、生成されたユーザレコードがサーバ内に記憶される。ステップＳ２３では、サーバが、位置情報に基づき、所在エリアに位置する全てのユーザのユーザレコードを検索し、当該ユーザレコードを取得する。
【００２０】
別の実施例において、ユーザレコードを取得する際は、位置情報の選定を行う以外に、記録時間を考慮し、すなわち所在エリアにおける一部のユーザレコードのみを取得する。例えば、所在エリア記録時間が所定範囲内に含まれるようなユーザレコードを取得する。なお、所定範囲は、一か月または一週間であってもよい。
【００２１】
ステップＳ２４では、所在エリア内の全てのユーザのユーザレコードに基づき、所在エリアの安全度を計算する。
本実施例における一実現形態として、所在エリア内の全てのユーザのユーザレコードに基づき、所在エリアの安全度を計算するステップは、
所在エリア内の全てのユーザのユーザレコードに基づき、所在エリアのエリア安全度を表す安全因子を計算するステップと、
所在エリアの安全因子、および、所在エリアの所定範囲内のエリアである複数の所定エリアの安全因子を降順にソーティングするステップと、
所在エリアの安全因子が上位Ｎ個のうちの１つである場合には、所在エリアの安全度を低いものとして特定し、所在エリアの安全因子が下位Ｍ個のうちの１つである場合には、所在エリアの安全度を高いものとして特定するステップと、を含んでもよい。なお、ＭおよびＮは正の整数である。
【００２２】
なお、所定範囲は、地域または距離で分けられてもよく、例えば、所在エリアと同一地域または所在エリアから１０キロメートル圏内にある地域である。
一つの市または一つの市街に含まれるエリアが多い場合には、上記方式を用いて所在エリアの安全度を計算してもよい。このような計算方式では、安全因子のソーティング位置に基づき、安全度の高いエリアおよび低いエリアを選定することにより、ユーザが現在に所在するエリアが市全体まはた市街全体において相対的に安全度が高い、または低いことを、ユーザに注意喚起することができる。
【００２３】
例えば、一つの市における４つのエリアＡ、Ｂ、ＣおよびＤの安全因子をそれぞれ９０、７０、６８、５０とする。安全因子を降順にＡ、Ｂ、Ｃ、Ｄとしてソーティングし、４つのエリアのうち上位序列の１つ（すなわち上記Ｎ）のエリア、すなわちエリアＡを安全度の低いエリアとして選択する。そして、４つのエリアのうち下位序列の３つ（すなわち上記Ｍ）のエリア、すなわちエリアＢ、ＣおよびＤを安全度の低いエリアとして選択する。勿論、本実施例では、「高」および「低」の２つの等級でエリアの安全度を示す以外に、例えば「優、良、中、劣」のようにエリアの安全度をより多くの等級に分けてもよい。これらは単に例示であり、本発明を限定するものではない。
【００２４】
なお、上記の実現形態では、安全因子のソーティングは、昇順の方式を用いてもよい。
本実施例における別の実現形態として、所在エリア内の全てのユーザのユーザレコードに基づき、所在エリアの安全度を計算するステップは、
所在エリア内の全てのユーザのユーザレコードに基づき、所在エリアの安全因子を計算するステップと、
所在エリアの安全因子が所定値よりも大きい場合には、所在エリアを安全度の低いものとして特定し、所在エリアの安全因子が所定値以下である場合には、所在エリアを安全度の高いものとして特定するステップと、を含んでもよい。
【００２５】
上記した形態に比べ、本形態は、絶対的安全度を計算することに相当し、注意喚起効果がより強くなる。なお、所定値は実際の必要に応じて設定してもよい。
例えば、一つの市における４つのエリアＡ、Ｂ、ＣおよびＤの安全因子をそれぞれ９０、７０、６８、５０とし、所定値を７５とすれば、エリアＡを安全度の低いエリアとして特定し、エリアＢ、Ｃ、Ｄを安全度の高いエリアとして特定する。
【００２６】
上記の２つの実現形態において、設定されたエリアのユーザレコードに基づき、設定されたエリアの安全因子を計算するステップは、
所在エリア内の全てのユーザのユーザレコードの中から、不良信用状況報告レコードを検索するステップと、
検索された不良信用状況報告レコードに基づき、所在エリアの安全因子を計算するステップと、を含んでもよい。
なお、不良信用状況報告レコードは、不良信用レコード（信用汚点）とも称され、例えば銀行のクライアントが融資を申し込んだ後に何らかの原因により返済延滞レコードとなった場合、ユーザレコード内の信用状況報告情報が不良信用状況報告レコードになる。
【００２７】
上記の実現形態では、信用状況報告情報を用いてエリアの安全因子を特定するのは、信用状況報告情報が常に個人の信用水準の審査に用いられ、信用水準の低い人ほど、犯罪に関係する可能性が高くなり、また、ユーザが所在するエリアの安全度が、所在エリア内で活動する全てのユーザに左右されるためである。したがって、所在エリア内の全てのユーザのユーザレコードの中から不良信用状況報告レコードを検索することにより、安全度を特定する正確度が高くなる。
【００２８】
本発明の実施例では、複数の所定エリアについても、所在エリアとは同様な方式で安全度を計算するため、ここでその説明を省略する。
但し、検索された不良信用状況報告レコードに基づき、所在エリアの安全因子を計算するステップは、
不良信用状況報告レコードごとの記録時間を取得するステップと、
不良信用状況報告レコードの記録時間に対応する係数であって、記録時間と現在時間との間隔が短くなるのにつれて増大する係数を、特定するステップと、
検索された不良信用状況報告レコードの記録時間に対応する係数の和を計算することにより、所在エリアの安全因子を得るステップと、を含んでもよい。
【００２９】
例えば、エリアＤ内の全てのユーザのユーザレコードに１００個の不良信用状況報告レコードが存在し、その中の５０個の不良信用状況報告レコードの記録時間が５時間前であり、２５個の不良信用状況報告レコードの記録時間が１時間前であり、２５個の不良信用状況報告レコードの記録時間が１時間内であり、５時間前、１時間前、および１時間内という記録時間に対応する係数をそれぞれ０．２、０.６および１とするとき、安全因子＝５０×０.２＋２５×０.６＋２５×１＝５０。勿論、これらの記録時間に対応する係数は、あくまでも例示であり、本発明を限定するものではない。
【００３０】
また、計算の際に、不良信用状況報告レコードの記録時間に対応する係数を用いて計算するのは、記録時間と現在時間との間隔が長いほど、設定されたエリアに該ユーザがまだ滞留している確率が低くなり、安全度に対する影響も小さくなるためである。このような計算方式により、同様に安全度の正確度が向上する。
【００３１】
ステップＳ２５では、安全度をユーザに送信する。
安全度をユーザに送信するステップは、設定されたエリアの安全度をショートメールまたは他のメッセージ形式でユーザの端末機器にプッシュするステップを含んでもよい。
【００３２】
別の実施例において、ステップＳ２５を実行する前に、安全度の高さおよび低さを判断し、安全度が低い場合のみに安全度をユーザに送信してもよい。これにより、ユーザに対して自己保護を注意喚起する。
本発明は、ユーザレコードに基づいてユーザの所在エリアを特定し、該所在エリア内の全てのユーザのユーザレコードに基づいて該所在エリアの安全度を計算すると共に、安全度をユーザに送信する。これにより、ユーザが所在するエリアの安全度を特定できないという従来技術における問題を解決し、ユーザの日常生活における安全指数を向上させている。
【００３３】
図４は、例示的な一実施例に係る安全評価装置を示すブロック図である。図４に示すように、該装置は、サーバまたは基地局であってもよく、サーバまたは基地局に集積された装置であってもよい。該装置は、
ユーザの識別子、位置情報、記録時間、および信用状況報告情報を含むユーザのユーザレコードを取得する第１取得モジュール３０１と、
ユーザレコード内の位置情報に基づき、ユーザの所在エリアを特定する特定モジュール３０２と、
所在エリアに位置する全てのユーザのユーザレコードを取得する第２取得モジュール３０３と、
所在エリア内の全てのユーザのユーザレコードに基づき、所在エリアの安全度を計算する処理モジュール３０４と、
安全度をユーザに送信する送信モジュール３０５と、を含む。
【００３４】
なお、ユーザの識別子は、ユーザの端末機器のＩＭＥＩ、またはユーザのアカウントなどであってもよい。位置情報は、ＧＰＳにより示されてもよく、ユーザの端末機器がアクセスした基地局またはＷｉＦｉホットスポットによる位置で示されてもよい。信用状況報告情報は、特定機関により作られた個人信用情報データベースに収集、整理、保管されるものとして、商業銀行や個人に信用報告問い合わせサービスを提供し、貨幣政策の制定、金融の監視および管理、乃至は法律や条例により規定された他の用途に関連の情報サービスを提供するための個人信用情報である。
【００３５】
本発明では、市、まはたより大きな（若しくはより小さな）地域を複数のエリアに分け、分けられた複数のエリアのうちの１つをユーザの所在エリアとしてもよい。エリアは、行政エリアに応じて分けてもよい。また、エリア分けは、他の方式、例えば商業圏に応じて分けてもよい。商業圏では人口が集中しており、人口流動性も強いため、商業圏に応じて分けることは、本発明に係る安全評価の効果が最大限に発揮される。
本発明は、ユーザレコードに基づいてユーザの所在エリアを特定し、該所在エリア内の全てのユーザのユーザレコードに基づいて該所在エリアの安全度を計算すると共に、安全度をユーザに送信する。これにより、ユーザが所在するエリアの安全度を特定できないという従来技術における問題を解決し、ユーザの日常生活における安全指数を向上させている。
【００３６】
図５は、例示的な一実施例に係る安全評価装置を示すブロック図である。図５に示すように、該装置は、サーバまたは基地局であってもよく、サーバまたは基地局に集積された装置であってもよい。該装置は、
ユーザの識別子、位置情報、記録時間および信用状況報告情報を含むユーザのユーザレコードを取得する第１取得モジュール４０１と、
ユーザレコード内の位置情報に基づき、ユーザの所在エリアを特定する特定モジュール４０２と、
所在エリアに位置する全てのユーザのユーザレコードを取得する第２取得モジュール４０３と、
所在エリア内の全てのユーザのユーザレコードに基づき、所在エリアの安全度を計算する処理モジュール４０４と、
安全度をユーザに送信する送信モジュール４０５と、を含む。
【００３７】
なお、ユーザの識別子は、ユーザの端末機器のＩＭＥＩ、またはユーザのアカウントなどであってもよい。位置情報は、ＧＰＳにより示されてもよく、ユーザの端末機器がアクセスした基地局またはＷｉＦｉホットスポットによる位置で示されてもよい。信用状況報告情報は、特定機関により作られた個人信用情報データベースに収集、整理、保管されるものとして、商業銀行や個人に信用報告問い合わせサービスを提供し、貨幣政策の制定、金融の監視および管理、乃至は法律や条例により規定された他の用途に関連の情報サービスを提供するための個人信用情報である。
【００３８】
本発明では、市、まはたより大きな（若しくはより小さな）地域を複数のエリアに分け、分けられた複数のエリアのうちの１つをユーザの所在エリアとしてもよい。エリアは、行政エリアに応じて分けてもよい。また、エリア分けは、他の方式、例えば商業圏に応じて分けてもよい。商業圏では人口が集中しており、人口流動性も強いため、商業圏に応じて分けることは、本発明に係る安全評価の効果が最大限に発揮される。
【００３９】
本発明の実施例における一実現形態として、処理モジュール４０４は、
所在エリア内の全てのユーザのユーザレコードに基づき、所在エリアのエリア安全度を表す安全因子を計算する計算サブモジュール４０４１と、
所在エリアの安全因子、および、所在エリアの所定範囲内のエリアである複数の所定エリアの安全因子を降順にソーティングするソーティングサブモジュール４０４２と、
所在エリアの安全因子が上位Ｎ個のうちの１つである場合には、所在エリアの安全度を低いものとして特定し、所在エリアの安全因子が下位Ｍ個のうちの１つである場合には、所在エリアの安全度を高いものとして特定する特定サブモジュール４０４３と、を含む。ＭおよびＮは、正の整数である。
【００４０】
なお、所定範囲は、地域または距離で分けられてもよく、例えば、所在エリアと同一地域、または、所在エリアから１０キロメートル圏内にある地域である。
一つの市または一つの市街に含まれるエリアが多い場合には、上記方式を用いて所在エリアの安全度を計算してもよい。このような計算方式では、安全因子のソーティング位置に基づき、安全度の高いエリアおよび低いエリアを選定することにより、ユーザが現在に所在するエリアが市全体まはた市街全体において相対的に安全度が高い、または低いことを、ユーザに注意喚起することができる。
【００４１】
例えば、一つの市における４つのエリアＡ、Ｂ、ＣおよびＤの安全因子をそれぞれ９０、７０、６８、５０とする。安全因子を降順にＡ、Ｂ、Ｃ、Ｄとしてソーティングし、４つのエリアのうち上位序列の１つ（すなわち上記Ｎ）のエリア、すなわちエリアＡを安全度の低いエリアとして選択する。そして、４つのエリアのうち下位序列の３つ（すなわち上記Ｍ）のエリア、すなわちエリアＢ、ＣおよびＤを安全度の低いエリアとして選択する。勿論、本実施例では、「高」および「低」の２つの等級でエリアの安全度を示す以外に、例えば「優、良、中、劣」のようにエリアの安全度をより多くの等級に分けてもよい。これらは単に例示であり、本発明を限定するものではない。
【００４２】
なお、上記の実現形態では、安全因子のソーティングは、昇順の方式を用いてもよい。
本発明の実施例における別の実現形態として、処理モジュール４０４は、
所在エリア内の全てのユーザのユーザレコードに基づき、所在エリアのエリア安全度を表す安全因子を計算する計算サブモジュール４０４１と、
所在エリアの安全因子が所定値よりも大きい場合には、所在エリアを安全度の低いものとして特定し、所在エリアの安全因子が所定値以下である場合には、所在エリアを安全度の高いものとして特定する特定サブモジュール４０４３と、を含む。
【００４３】
上記した形態に比べ、本形態は、絶対的安全度を計算することに相当し、注意喚起効果がより強くなる。なお、所定値は実際の必要に応じて設定してもよい。
例えば、一つの市における４つのエリアＡ、Ｂ、ＣおよびＤの安全因子をそれぞれ９０、７０、６８、５０とし、所定値を７５とすれば、エリアＡを安全度の低いエリアとして特定し、エリアＢ、Ｃ、Ｄを安全度の高いエリアとして特定する。
上記の２つの実現形態において、計算サブモジュール４０４１は、具体的には、
所在エリア内の全てのユーザのユーザレコードの中から不良信用状況報告レコードを検索し、
検索された不良信用状況報告レコードに基づいて所在エリアの安全因子を計算する。
なお、不良信用状況報告レコードは、不良信用レコード（信用汚点）とも称され、例えば銀行のクライアントが融資を申し込んだ後に何らかの原因により返済延滞レコードとなった場合、ユーザレコード内の信用状況報告情報が不良信用状況報告レコードになる。
【００４４】
本発明の実施例では、複数の所定エリアについても、所在エリアとは同様な方式で安全度を計算するため、ここでその説明を省略する。
さらに、計算サブモジュール４０４１は、具体的には、
不良信用状況報告レコードごとの記録時間を取得し、
不良信用状況報告レコードの記録時間に対応する係数であって、記録時間と現在時間との間隔が短くなるのにつれて増大する係数を特定し、
検索された不良信用状況報告レコードの記録時間に対応する係数の和を計算することにより、所在エリアの安全因子を得る。
【００４５】
例えば、エリアＤ内の全てのユーザのユーザレコードに１００個の不良信用状況報告レコードが存在し、うちの５０個の不良信用状況報告レコードの記録時間が５時間前であり、２５個の不良信用状況報告レコードの記録時間が１時間前であり、２５個の不良信用状況報告レコードの記録時間が１時間内であり、５時間前、１時間前、および１時間内という記録時間に対応する係数をそれぞれ０．２、０.６および１とするとき、安全因子＝５０×０.２＋２５×０.６＋２５×１＝５０。勿論、これらの記録時間に対応する係数は、あくまでも例示であり、本発明を限定するものではない。
また、計算の際に、不良信用状況報告レコードの記録時間に対応する係数を用いて計算するのは、記録時間と現在時間との間隔が長いほど、設定されたエリアに該ユーザがまだ滞留している確率が低くなり、安全度に対する影響も小さくなるためである。このような計算方式により、同様に安全度の正確度が向上する。
【００４６】
本発明の実施例において、第１取得モジュール４０１は、具体的には、
ユーザから送信される安全評価要求であって、所在エリアの安全度を取得するための安全評価要求を受信した場合に、ユーザのユーザレコードを取得する。
別の実施例において、ユーザがサーバとの間で、所在エリアの安全度を周期的に取得するための安全評価サービスを開通させ、ユーザにより安全評価サービスが開通した後に、第１取得モジュール４０１がユーザのユーザレコードを周期的に取得してもよい。
また、装置は、ユーザのユーザレコードを生成する生成モジュール４０６をさらに含む。
生成モジュール４０６は、
ユーザの識別子と、位置情報と、位置情報に対応する時間とを含むユーザ情報を取得する取得サブモジュール４０６１と、
ユーザの識別子に基づき、信用状況報告サーバにおいてユーザの信用状況報告情報をクエリーするクエリーサブモジュール４０６２と、
ユーザの識別子と、位置情報と、位置情報に対応する時間と、信用状況報告情報とに基づき、位置情報に対応する時間である記録時間を含むユーザレコードを生成する生成サブモジュール４０６３と、を含む。
【００４７】
なお、信用状況報告サーバは、第三者である信用状況報告サイトのサーバであってもよい。第三者である信用状況報告サイトとは、企業や個人の信用状況報告情報の収集、整理、加工、解析などの作業を専門的に行うシステムであり、例え「ゴマ信用状況報告」、「小米信用状況報告」などである。
上述した方式を用いれば、ユーザレコードを容易に生成することができ、後の計算需要を保証することができる。
【００４８】
本実施例において、取得サブモジュール４０６１は、具体的には、ユーザの端末機器から送信されるユーザ情報として、ＧＰＳ情報である位置情報を含むユーザ情報を受信し、あるいは、運営事業者から送信されるユーザ情報として、ユーザの端末機器がアクセスした基地局若しくはＷｉＦｉの位置情報を含んだユーザ情報を受信し、あるいは、ユーザの端末機器がアクセスした基地局若しくはＷｉＦｉの位置情報を含んだユーザ情報を、運営事業者サーバから周期的に取得する。
【００４９】
本発明の実施例において、送信モジュール４０５は、具体的には、設定されたエリアの安全度をショートメールまたは他のメッセージ形式でユーザの端末機器にプッシュする。
本発明は、ユーザレコードに基づいてユーザの所在エリアを特定し、該所在エリア内の全てのユーザのユーザレコードに基づいて該所在エリアの安全度を計算すると共に、安全度をユーザに送信する。これにより、ユーザが所在するエリアの安全度を特定できないという従来技術における問題を解決し、ユーザの日常生活における安全指数を向上させている。
上記実施例に係る装置の各モジュールが動作する具体的な形態については、対応の方法に関する実施例に詳しく記載されているため、ここでその詳細な説明を省略する。
【００５０】
図６は、例示的な一実施例に係る安全評価用の装置１９００を示すブロック図である。装置１９００は、例えばサーバとして提供されてもよい。図６を参照すると、装置１９００はプロセッサアセンブリ１９２２を含み、プロセッサアセンブリ１９２２は、１つまたは複数のプロセッサと、プロセッサアセンブリ１９２２が実行可能な例えばアプリケーションなどのコマンドを記憶するためのメモリ１９３２に代表されるメモリリソースと、を含む。メモリ１９３２に記憶されているアプリケーションは、１セットのコマンドごとに対応するモジュールを１つ以上含んでもよい。また、プロセッサアセンブリ１９２２は、上記した安全評価方法を実行するコマンドを実行するように構成されている。該安全評価方法は、
ユーザの識別子、位置情報、記録時間および信用状況報告情報を含むユーザのユーザレコードを取得し、
ユーザレコード内の位置情報に基づいてユーザの所在エリアを特定し、
所在エリアに位置する全てのユーザのユーザレコードを取得し、
所在エリア内の全てのユーザのユーザレコードに基づいて所在エリアの安全度を計算し、
安全度をユーザに送信する。
【００５１】
また、装置１９００は、装置１９００の電源管理を実行するように構成された電源アセンブリ１９２６と、装置１９００をネットワークに接続させるように構成された有線または無線のネットワークインターフェース１９５０と、入力／出力（Ｉ／Ｏ）インターフェース１９５８とを含んでもよい。また、装置１９００は、メモリ１９３２に記憶されているオペレーションシステム、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭまたは類似のシステムに基づいて動作してもよい。
【００５２】
また、例示的な一実施例において、コマンドを含んだ一時的でないコンピュータ読み取り可能な記憶媒体として、例えば装置１９００のプロセッサに実行されることで上記の方法を完成させるようなコマンドを含んだメモリ１９３２も提供する。前記一時的でないコンピュータ読み取り可能な記憶媒体は、例えばＲＯＭ、ＲＡＭ（Ｒａｎｄｏｍ−Ａｃｃｅｓｓ  Ｍｅｍｏｒｙ）、ＣＤ−ＲＯＭ、磁気テープ、フロッピィディスクおよび光学データ記憶機器等である。
内部に記憶されたコマンドが装置のプロセッサに実行されることにより、安全評価方法が該装置に実行されるような、一時的でないコンピュータ読み取り可能な記憶媒体であって、
前記方法は、
ユーザの識別子、位置情報、記録時間および信用状況報告情報を含むユーザのユーザレコードを取得し、
ユーザレコード内の位置情報に基づいてユーザの所在エリアを特定し、
所在エリアに位置する全てのユーザのユーザレコードを取得し、
所在エリア内の全てのユーザのユーザレコードに基づいて所在エリアの安全度を計算し、
安全度をユーザに送信する、記憶媒体。
【００５３】
また、所在エリア内の全てのユーザのユーザレコードに基づき、所在エリアの安全度を計算するステップは、
所在エリア内の全てのユーザのユーザレコードに基づき、所在エリアのエリア安全度を表す安全因子を計算するステップと、
所在エリアの安全因子、および、所在エリアの所定範囲内のエリアである複数の所定エリアの安全因子を降順にソーティングするステップと、
所在エリアの安全因子が上位Ｎ個のうちの１つである場合には、所在エリアの安全度を低いものとして特定し、所在エリアの安全因子が下位Ｍ個のうちの１つである場合には、所在エリアの安全度を高いものとして特定するステップと、を含む。なお、ＭおよびＮは正の整数である。
【００５４】
また、所在エリア内の全てのユーザのユーザレコードに基づき、所在エリアの安全度を計算するステップは、
所在エリア内の全てのユーザのユーザレコードに基づき、所在エリアのエリア安全度を表す安全因子を計算するステップと、
所在エリアの安全因子が所定値よりも大きい場合には、所在エリアを安全度の低いものとして特定し、所在エリアの安全因子が所定値以下である場合には、所在エリアを安全度の高いものとして特定するステップと、を含む。
【００５５】
また、所在エリア内の全てのユーザのユーザレコードに基づき、所在エリアの安全因子を計算するステップは、
所在エリア内の全てのユーザのユーザレコードの中から不良信用状況報告レコードを検索するステップと、
検索された不良信用状況報告レコードに基づき、所在エリアの安全因子を計算するステップと、を含む。
【００５６】
また、検索された不良信用状況報告レコードに基づき、所在エリアの安全因子を計算するステップは、
不良信用状況報告レコードごとの記録時間を取得するステップと、
不良信用状況報告レコードの記録時間に対応する係数であって、記録時間と現在時間との間隔が短くなるのにつれて増大する係数を、特定するステップと、
検索された不良信用状況報告レコードの記録時間に対応する係数の和を計算することにより、所在エリアの安全因子を得るステップと、を含む。
【００５７】
また、ユーザのユーザレコードを取得するステップは、
ユーザから送信される安全評価要求であって、所在エリアの安全度を取得するための安全評価要求を受信した場合に、ユーザのユーザレコードを取得するステップを含む。
さらに、該方法は、
ユーザのユーザレコードを生成するステップを含む。
また、ユーザのユーザレコードを生成するステップは、
ユーザの識別子と、位置情報と、位置情報に対応する時間とを含むユーザ情報を取得するステップと、
ユーザの識別子に基づき、信用状況報告サーバにおいてユーザの信用状況報告情報をクエリーするステップと、
ユーザの識別子と、位置情報と、位置情報に対応する時間と、信用状況報告情報とに基づき、位置情報に対応する時間である記録時間を含むユーザレコードを生成するステップと、を含む。
【００５８】
当業者は、本明細書に開示された内容を考慮し実施することにより、本発明の他の実施形態を容易に見出せる。本出願は、本発明のいかなる変形、用途、又は適合的な変化を概括することを目的としており、これらいかなる変形、用途、又は適合的な変化は、本発明の一般原理に従うものであり、且つ本明細書に開示されていない本技術分野の公知常識又は慣用の技術的手段を含む。明細書及び実施例は、単に例示的なものに過ぎない。本発明の真正の範囲および精神は、特許請求の範囲により示される。
また、本発明は、以上の記載および図面により示された詳細な構成に限定されるものではなく、本発明の範囲を逸脱しない場合に様々な改修又は変更を行うことができると理解されるべきである。本発明の範囲は、特許請求の範囲のみにより規定される。
【００５９】
本願は、出願番号が２０１５１０５４６５０８．６であり、出願日が２０１５年０８月３１日である中国特許出願に基づき提出し、該中国特許出願の優先権を主張する。ここで、該中国特許出願の全ての内容は、参照として本願に組み込まれたものとする。
【図１】
0006301020.tif 000002
【図２】
0006301020.tif 000003
【図３】
0006301020.tif 000004
【図４】
0006301020.tif 000005
【図５】
0006301020.tif 000006
【図６】
0006301020.tif 000007